(57)【要約】      （修正有）【課題】建築構造物に使用される遮熱性と、水蒸気の排出性と、電磁波遮断機能を併せ持つ壁・屋根材用シートを提供する。【解決手段】建築構造物に使用される遮熱性と水蒸気の排出性と電磁波遮断機能を併せ持つ壁・屋根材用シートであって、直径0.1マイクロメートルから10マイクロメートルの範囲内の微細孔１１を縦横等間隔にアルミ箔１０に多数配設し、アルミ箔１０を、通気空間を隔てて微細孔１１が貫通状態とならないように位相させて積層した手段を採用した。また、前記通気空間に不織布を貼着することで該通気空間を形成する手段、通気空間内に電波吸収体を貼着する手段、該壁・屋根材用シートを遮熱素材シートならびに建築構造用合板パネルに貼着する手段も採り得る。【選択図】図１
2012077511.tif 000002
【特許請求の範囲】
【請求項１】
建築構造物に使用される遮熱性、水蒸気排出性及び電磁波遮断機能を有する壁・屋根材用シートであって、
直径0.1マイクロメートルから10マイクロメートルの範囲内の微細孔を縦横等間隔にアルミ箔に多数配設し、
該アルミ箔を、通気空間を隔てて前記微細孔が貫通状態とならないように位相させて積層したことを特徴とする壁・屋根材用シート。
【請求項２】
前記通気空間に不織布を貼着することで該通気空間を形成することを特徴とする請求項1に記載の壁・屋根材用シート。
【請求項３】
前記通気空間内の壁側アルミ箔面に、該内壁側アルミ箔の微細孔と位置及び大きさを共通する微細孔を有する電波吸収体が貼着されていることを特徴とする請求項1又は請求項２に記載の壁・屋根材用シート。
【請求項４】
前記請求項1から請求項３のいずれかに記載の壁・屋根材用シートを、遮熱素材シートに貼着したことを特徴とする壁・屋根材用シート。
【請求項５】
前記請求項1から請求項４のいずれかに記載の壁・屋根材用シートを、建築構造用合板パネルに貼着したことを特徴とする建築構造材。
【発明の詳細な説明】
【技術分野】
【０００１】
本発明は、建築構造物に使用される遮熱性と、水蒸気の排出性と、電磁波遮断機能を併せ持った壁・屋根材用シートに関する。
【背景技術】
【０００２】
現在、住宅環境を取り巻く電磁波障害は、電波塔や送電線から放射される電磁波や、自動車、携帯電話、カーナビなどの移動体から放射される電磁波や、工場の生産機器や一般家庭で使用される電子制御家電、パソコン、ゲーム機などの電磁波によって発生することが確認され、今後電子制御機器ならびに通信機器の普及に伴って益々増大していくものと思料される。
【０００３】
さらに、それらの電子機器の高度化と多様化に伴ってそれらを動作させるクロック周波数に応じた電磁波シールド技術や外出先から電源のＯＮ／ＯＦＦが自由にできる無線ＬＡＮを利用した家庭用電気器具の普及が予想される将来においては、無線ＬＡＮの混信や、地球環境が悪化した自然界からのＸ線、紫外線、可視光線、赤外線などの有害な電磁波による人体への影響が懸念される中、電子機器のシールド技術の構築はもとより、住宅建築構造物における電磁波シールド工法は、今後大きく注目を集めるものと思料されるところである。
【０００４】
従来より、建築構造物における電磁波シールド工法は、電磁波を遮断するシート材、クロス材ならびにフィルム材を建物の内外壁面やガラス窓面に貼り付けるなどとするシールド工法が行われているが、建築構造物に使用される遮熱性と水蒸気の排出性と電磁波遮断機能を併せ持った電磁波遮断シートの提案は、現時点で本出願人が知るところ見当たらない。
【０００５】
例えば、建築材料として使用される電磁波シールド技術は、金属繊維同士の一部又は全部が接触し、接触点の廻り及び/又は金属繊維表面の一部又は全部が樹脂で覆われた「建築材料用金属繊維シート」（特許文献１参照）や、電磁波や電波の遮断機能を有した遮蔽型物品「電磁波や電波などの遮蔽型物品」（特許文献２参照）などが提案されている。
【０００６】
しかしながら、上記の提案は、単に電磁波を遮蔽する素材と物品の提案であって、本発明の建築構造物に使用される遮熱性と水蒸気の排出性と電磁波遮断機能を併せ持った提案ではなかった。
【０００７】
また、近年、温暖化現象の影響もあり、夏季における連続猛暑日が記録的な更新を続けている。建築構造物に用いられる断熱材の効果は、夏季においては室内温度を保温することになり、室内温度を下げるためにエアコン等の使用量が増えれば光熱費も向上し、省エネルギー化に逆行することにもなり、更には温暖化を助長することになる。そこで、電磁波を遮断する効果として、その波長のうち少なくとも８００ナノメートル〜２１００ナノメートルまでの範囲の赤外線を遮断することが必要である。最近では、反射素材よりもフェライト系粉末含有樹脂シートや、カーボン繊維シートなどの吸収素材が注目されているが、これらは電磁波の磁界成分に作用してそのエネルギーを熱エネルギーに変換して吸収するものであるため、全ての電磁波領域をこれによって吸収するとなると、吸収材内部でエネルギーが変換された輻射熱の伝熱により、結果的には建築構造物の温度を上げてしまう。そこで、外部から侵入しようとする電磁波の大半は反射により遮断し、透過してしまう分の電磁波については吸収材で吸収する技術が提案されれば、人体に影響するおそれが懸念されている電磁波の問題や、遮熱の問題を同時に解決することができる。
【０００８】
そこで、本発明者は、電磁波の反射率が大きなアルミに着目し、これをいかに利用すれば、建築構造物として要求される遮熱性と水蒸気の排出性と電磁波遮断機能を併せ持った壁・屋根材用シートを提供できるかという着想の下に本発明を創作したものである。単なるアルミシート素材では木質部材の水分を外部に放出できず木材を腐らせてしまったりカビの発生の原因になる。通気性を確保するための通気口を開ければ外部からの雨水が侵入してしまうし、その開口部から電磁波を透過させてしまう。電磁波吸収素材単体では上記のとおり輻射熱の伝熱問題を解決できない。そこで、反射素材であるアルミの一次フィルターと二次フィルターを、その間に空間部を設けるように配設し、外部からの水の浸入を防止するが水蒸気は透過することができるサイズである直径0.1マイクロメートルから10マイクロメートルの範囲内の微細孔を縦横等間隔にアルミシートに多数配設し、該アルミシートを、通気空間を隔てて微細孔が貫通状態とならないように位相させて積層することによって、一次フィルターを透過してしまった電磁波を二次フィルターで遮断する構成を発明した。また、一次フィルターと二次フィルター内部で反射する電磁波は減衰するが、これに電磁波吸収素材を併用して利用し、完全に電磁波を遮断する構成も同時に完成させるに至ったものである。
【先行技術文献】
【特許文献】
【０００９】
【特許文献１】特開２０００-４９４９０号公報
【特許文献２】登録実用新案第３０１０１４７号公報
【発明の概要】
【発明が解決しようとする課題】
【００１０】
本発明は、上記問題点に鑑み、建築構造物に要求される遮熱性と、水蒸気の排出性と、電磁波遮断機能を併せ持った壁・屋根材用シートの提供を図る。
【課題を解決するための手段】
【００１１】
請求項１に係る発明は、上記目的を達成するために、建築構造物に使用される遮熱性と水蒸気の排出性と電磁波遮断機能を併せ持つ壁・屋根材用シートであって、直径0.1マイクロメートルから10マイクロメートルの範囲内の微細孔を縦横等間隔にアルミ箔に多数配設し、該アルミ箔を、通気空間を隔てて前記微細孔が貫通状態とならないように位相させて積層する手段を採用した。
【００１２】
また、請求項２に係る発明は、前記通気空間に不織布を貼着することで該通気空間を形成する手段を採用した前記壁・屋根材用シートとした。
【００１３】
また、請求項３に係る発明は、前記通気空間内の壁側アルミ箔面に、該内壁側アルミ箔の微細孔と位置及び大きさを共通する微細孔を有する電波吸収体を貼着する手段を採用した前記壁・屋根材用シートとした。
【００１４】
また、請求項４に係る発明は、請求項1から請求項３のいずれかに記載の壁・屋根材用シートに、遮熱素材シートを貼着する手段を採用した前記壁・屋根材用シートとした。
【００１５】
また、請求項５に係る発明は、請求項1から請求項４のいずれかに記載の壁・屋根材用シートを、建築構造用合板パネルに貼着した手段を採用する建築構造材とした。
【発明の効果】
【００１６】
本発明の壁・屋根材用シートによれば、和紙や不織布にアルミ箔貼着ならびにアルミ蒸着を施したシート状とすることで、軽量で加工が容易な反射型の電磁波遮断材料とするもので、さらに建築構造物における水蒸気の排出性（通気性）を確保する微細孔を設けることによって、木造建築構造住宅の壁構造体の湿気による劣化防止と、カビなどの繁殖を抑制する抗菌性を備えることができる優れた効果を奏する。
【００１７】
本発明の壁・屋根材用シートによれば、電磁波遮断シートを外壁材や内装壁材と使用することにより、外部から雨水などの侵入を塞ぎつつ、有害紫外線のカットや遮熱性、断熱保温ならびに通気性が同時に確保できる施工方法を採ることができるもので、電磁波遮断シートならびに断熱材の工事費用の削減が図れる優れた効果を奏する。
【００１８】
本発明の壁・屋根材用シートによれば、一般住宅の壁材として使用することにより、身近な所では、屋外からの電磁波による無線ＬＡＮの混信を防止することができることや、屋内で使用されるパソコンや電子制御家庭機器の電磁波障害ノイズを野外に放出しない優れた効果を奏する。
【図面の簡単な説明】
【００１９】
【図１】請求項１に係る壁・屋根材用シートの実施形態を示す説明図である。
【図２】請求項１記載の壁・屋根材用シートの作用状態を示す説明図である。
【図３】請求項２又は３に記載の壁・屋根材用シートの実施形態を示す説明図である。
【図４】請求項３記載の壁・屋根材用シートの作用状態を示す説明図である。
【図５】請求項４記載の壁・屋根材用シートの実施形態を示す説明図である。
【図６】請求項５記載の壁・屋根材用シートの実施形態を示す説明図である。
【図７】本発明に係るアルミ箔シートの別の実施形態示す説明図である。
【発明を実施するための形態】
【００２０】
本発明は、電磁波を反射する素材であるアルミの一次フィルターと二次フィルターとを、その間に空間部を設けるように配設し、外部からの水の浸入を防止するが水蒸気は透過することができるサイズである直径0.1マイクロメートルから10マイクロメートルの範囲内の微細孔を縦横等間隔にアルミシートに多数配設し、該アルミシートを、通気空間を隔てて微細孔が貫通状態とならないように位相させて積層することによって、一次フィルターを透過してしまった電磁波を二次フィルターで遮断する構成を採用したことを最大の特徴とするものである。また、一次フィルターと二次フィルター内部で反射する電磁波は減衰するが、これに電磁波吸収素材を併用して利用し、完全に電磁波を遮断する構成も有効である。以下、本発明の実施例を図面に基づいて説明する。
【００２１】
なお、本実施例で示すシート状の外形形状等は、下記に述べる実施例に特に限定されるものでなく、本発明の技術的思想の創作の範囲で任意に変更することができる。
【実施例１】
【００２２】
図１は、本発明の壁・屋根材用シートの請求項１記載の実施形態を示す説明図である。
本発明の壁・屋根材用シート１は、建築構造物Ｔに使用される遮熱性と水蒸気Ｓの排出性と電磁波遮断機能を併せ持つ壁材用の電磁波遮断シートで形成されている。
【００２３】
本発明が対象とする住宅空間に影響を及ぼす電磁波Ｄの発生源としては、例えば、身近な所では、工作機械、工事機械、電動機、ネオンサイン、溶接機、携帯電話、無線ＬＡＮ、ＰＨＳ電話、情報処理器、違法ＣＢ無線、電波塔、高電圧線、雷、レーザー、自動車、自動車無線、飛行機、船舶などや、自然界では、Ｘ線、紫外線、可視光線、赤外線などがあり、それらの幅広い領域の電磁波が家庭内の電子制御製品や人体に有害な影響を及ぼすため、本発明の請求項１記載の壁・屋根材用シートは、比較的広範囲な電磁波シールド効果が得られる下記の反射型電磁波遮断材料を使用して形成される。
【００２４】
アルミ箔１０は、直径0.1マイクロメートルから10マイクロメートルの範囲内の微細孔１１を縦横等間隔に多数配設し積層したもので、その他の電磁波遮断材料としては、アルミ板材でもよく、微細孔１１の加工は、レーザー加工、超微細放電加工等で加工すること等が考え得る。また、図７に示すように、和紙や不織布に粒径が直径0.1マイクロメートルから10マイクロメートルの範囲内であるアルミ粉１２を蒸着させたアルミシートや、直径0.1マイクロメートルから10マイクロメートルの範囲内の微細孔１１を有するアルミ繊維１３の不織布でもよい。
【００２５】
微細孔１１は、通気空間２０を隔てて貫通状態とならないように位相させて直径0.1マイクロメートルから10マイクロメートルの範囲内の微細な孔を縦横等間隔に多数配設している。従来の電磁波遮断シートに設けられる透孔は、対象とする電磁波の種類によって透孔の大きさを変化させるが、本発明の微細孔１１は、建築構造物Ｔに使用される水蒸気Ｓの排出性を機能させるための通風孔として設けられるもので、雨や水（直径100〜3000マイクロメートル）を通さず、水蒸気Ｓ（直径0.0004マイクロメートル）を通す選択透化性の通気孔で形成される。
【００２６】
通気空間２０は、アルミ箔１０を積層またはエンボス加工等を施して形成されるもので、この空間に電磁波Ｄが入射した場合、吸収、屈折、散乱、回析、干渉、反射、輻射が行なわれ、最終的に熱エネルギーに変換されて放射される。また、室内Ｈの湿気や壁材Ｋから発生する水蒸気Ｓの排出経路として設けられるもので、水蒸気Ｓは、この通気空間２０を通って微細孔１１から外気に放出される。
【実施例２】
【００２７】
図２は、本発明の壁・屋根材用シートの請求項１記載の作用状態示す説明図である。
本発明における壁・屋根材用シート１が使用される状態を説明するもので、前述の電磁波発生源から発生した電磁波Ｄは、空気中を直進して外側のアルミ箔１０に当り、一部は反射し、一部は微細孔１１を通って内側のアルミ箔１０に当り、通気空間２０内で反射または輻射して熱エネルギーに変換されて通気空間２０内に放出されるもので、比較的単純な反射型の電磁波遮断構造で処理されるものである。
【００２８】
一方、室内Ｈの湿気や壁材Ｋから発生する水蒸気Ｓは、内側のアルミ箔１０の微細孔１１を通り通気空間２０を排出経路として通過し、さらに外側のアルミ箔１０の微細孔１１を通って外気Ｇに放出される。
【００２９】
ここでの微細孔１１の働きは、主として室内Ｈの湿気や壁材Ｋから発生する水蒸気Ｓの排出経路として設けるものであり、電磁波の遮断については、微細孔１１の位相させることで、その遮断効果を図るものである。従って、前記した和紙や不織布に直径0.1マイクロメートルから10マイクロメートルの範囲内のアルミ粉１２を蒸着させたアルミシートや、直径0.1マイクロメートルから10マイクロメートルの範囲内の微細孔１１を有するアルミ繊維１３の不織布をアルミ箔１０とする場合には、必ずしも微細孔１１が位相するとは限らない。従って、アルミ粉１２を蒸着させたアルミシートや、アルミ繊維１３の不織布をアルミ箔１０とする場合では、微細孔１１を縦横等間隔に配設して正確に位相させた場合と比較すると電磁波Ｄを遮断する効果が低い。そこで、アルミ粉１２を蒸着させたアルミシートや、アルミ繊維１３の不織布をアルミ箔１０とする場合においては、積層数を増やすか、若しくは、アルミ粉の蒸着量やアルミ繊維の厚さ等で調整することが必要になる。
【実施例３】
【００３０】
図３は、本発明に係る請求項２及び３に記載の壁・屋根材用シートの実施形態を示す説明図であり、図３（ａ）は、前記通気空間内の壁側アルミ箔面に、該内壁側アルミ箔の微細孔と位置及び大きさを共通する微細孔を有する電波吸収体が貼着されていることを特徴とする請求項３に係る壁・屋根材用シートの構成を示し、図３（ｂ）は、前記通気空間に不織布を貼着することで該通気空間を形成することを特徴とする請求項２に係る壁・屋根材用シートの構成を示している。請求項２に係る壁・屋根材用シート１に用いられる不織布３１は、アルミ箔１０と同様に、水蒸気（0.0004マイクロメートル）を透過できるものを用いることはいうまでもないが、可能であれば水滴(100マイクロメートル以上)を侵入させないものが望ましい。該不織布３１は両面にアルミ箔１０を貼着して形成される。請求項３に係る壁・屋根材用シート１は、建築構造物Ｔに使用される遮熱性と水蒸気Ｓの排出性と電磁波遮断機能を併せ持った壁材用の電磁波遮断シートで形成され、室内Ｈ側アルミ箔１０通気空間２０面側に、該室内Ｈ側アルミ箔１０の微細孔１１と位置及び大きさを共通する微細孔１１を有する電波吸収体３０が貼着されて形成されている。
【００３１】
前述した住宅空間に影響を及ぼす幅広い領域の電磁波Ｄが、家庭内の電子制御製品や人体に有害な影響を及ぼすため、本発明の請求項３記載の壁・屋根材用シート１は、比較的広範囲な電磁波遮断シールド効果が得られる下記の反射型電磁波遮断材料と、磁性体粉末混合材料を使用した電波吸収体２０で形成される。
【００３２】
電波吸収体３０は、フェライト系粉末含有樹脂シートや、カーボン繊維シートなどの磁性体で形成され、電磁波Ｄの磁界成分に作用してそのエネルギーを熱エネルギーに変換して吸収するものである。
【実施例４】
【００３３】
図４は、本発明に係る請求項３に記載の壁・屋根材用シートの作用状態を示す説明図である。本発明における壁・屋根材用シート１が使用される状態を説明するもので、前述の電磁波発生源から発生した電磁波Ｄは、空気中を直進して外側のアルミ箔１０に当り、一部は反射し、一部は微細孔１１を通って内側の磁性体で形成される電波吸収体３０に当り、熱エネルギーに変換されて吸収されるもので、比較的単純な反射型の電磁波遮断シートと電波吸収体で処理されるものである。
【００３４】
一方、室内Ｈの湿気や壁材Ｋから発生する水蒸気Ｓは、内側のアルミ箔１０と電波吸収体３０の微細孔１１を通り、通気空間２０を排出経路として通過し、さらに外側のアルミ箔１０の微細孔１１を通って外気Ｇに放出される。
【００３５】
電波吸収体の微細孔１１の働きは、遮断する電磁波周波数を低減させることが目的ではなく、室内Ｈの湿気や壁材Ｋから発生する水蒸気Ｓの排出経路として設けられるものである。
【実施例５】
【００３６】
図５は、本発明に係る請求項４に記載の実施形態を示す説明図である。図ａは遮熱素材シートに壁・屋根材用シート１を貼着した断面図を示す。本発明の壁・屋根材用シート１は、電磁波遮断シート（壁・屋根材用シート）を遮熱素材シート４０に貼着して形成される。
【００３７】
図ｂは遮熱素材シートに壁・屋根材用シートと電波吸収体を貼着した断面図を示す。本発明の壁・屋根材用シート１は、電磁波遮断シート（壁・屋根材用シート+電波吸収体）を遮熱素材シート４０に貼着して形成される。
【００３８】
遮熱素材シート４０は、和紙や不織布にアルミ箔貼着ならびにアルミ蒸着したロール状の遮熱シートであって、本発明の壁・屋根材用シート１を貼着することによって、電磁波遮断・遮熱シートとして建築構造物Ｔの内壁シートならびに外壁シートとして使用することができる。
【実施例６】
【００３９】
図６は、本発明に係る請求項５に記載の壁・屋根材用シートの実施形態を示す説明図である。図ａは建築構造用合板パネルに壁・屋根材用シートを貼着した断面図を示す。本発明の壁・屋根材用シート１は、電磁波遮断シート（壁・屋根材用シート）を建築構造用合板パネル５０に貼着して形成される。
【００４０】
図ｂは建築構造用合板パネルに壁・屋根材用シートと電波吸収体を貼着した断面図を示す。本発明の壁・屋根材用シート１は、電磁波遮断シート（壁・屋根材用シート+電波吸収体）を建築構造用合板パネル５０に貼着して形成される。
【００４１】
建築構造用合板パネル５０は、建築構造物に使われる定尺の構造用の合板パネルであって、本発明の壁・屋根材用シート１を貼着することによって、電磁波遮断合板パネルとして建築構造物Ｔの内壁構造材ならびに外壁構造材として使用することができる。
【００４２】
なお、いずれの壁・屋根材用シート１も、施工性向上のため、室内Ｈ側面に貼着用の接着シートを設けることが望ましいことはいうまでもない。
【産業上の利用可能性】
【００４３】
本発明の壁・屋根材用シート１は、木造建築構造材の遮熱性と通気性を確保し、さらに広範囲領域の電磁波を遮断することができることから、本発明における壁・屋根材用シートの建築構造物の電磁波遮断シートとしての産業上の利用可能性は極めて高いものと解する。
【符号の説明】
【００４４】
１  壁・屋根材用シート
１０  アルミ箔
１１  微細孔
１２  アルミ粉体
１３  アルミ繊維
２０  通気空間
３０  電波吸収体
３１  不織布
４０  遮熱素材シート
５０  建築構造用合板パネル  
Ｄ  電磁波  
Ｔ  建築構造物
Ｋ  壁材
Ｅ  位相差
Ｓ  水蒸気
Ｒ  雨水
Ｈ  室内
Ｇ  外気
【図１】
2012077511.tif 000003
【図２】
2012077511.tif 000004
【図３】
2012077511.tif 000005
【図４】
2012077511.tif 000006
【図５】
2012077511.tif 000007
【図６】
2012077511.tif 000008
【図７】
2012077511.tif 000009